(57)【要約】【課題】体積がかなり薄くて小く、他のパーツを組み合わせることが可能で、応用も利くため、付加価値が高いという特長を持つ超薄型シャボン玉用具を提供する。【解決手段】超薄型シャボン玉用具は、厚さが２〜６ｍｍの薄型容器に、扁平な液をつけるスティックを組み合わせて構成される。この薄型容器の内部には、シャボン液を入れるための空間がある。さらに、この空間の周囲には、挿入口があり、扁平な液をつけるスティックが挿入されるようになっている。その体積はかなり薄くて小さいため、他のパーツを組み合わせることが可能で、応用も利くため、付加価値が高いという特長を持つ。【選択図】    図１
2005073705.tif 000002
【特許請求の範囲】
【請求項１】
薄型容器及び扁平な液をつけるスティックからなり、その薄型容器は、二組のはめ込み式のふた板と、その間に連なる接続板部分から構成され、その厚みが２〜６ｍｍで、さらに、その内部の形成された収納空間は密封された容器になっていて、その収納空間はシャボン液を入れるようになっていて、その周囲の縁には貫通した挿入口があり、扁平な液をつけるスティックのリング部分が挿入されて液をつけるようになっていて、その扁平な液をつけるスティックの先端には、持ち手があって、薄型容器と共に超薄型シャボン玉用具を形成するという特長を持つ、超薄型シャボン玉用具。
【請求項２】
扁平な液をつける持ち手の下方に、漏れを防ぐ栓があり、薄型容器の挿入口にはまり込んで密封するようになった、請求項  １に記載の超薄型シャボン玉用具。
【請求項３】
その薄型容器の一側面にフレームを取り付けてあり、そのフレームには固定溝があって、薄いシートを入れるようになっている、請求項  １に記載の超薄型シャボン玉用具。
【請求項４】
その薄型容器の一側面に背板が取り付けてある、請求項  １に記載の超薄型シャボン玉用具。
【請求項５】
その薄型容器の一側面に、複数のくぼんだ面を持つ、請求項１に記載の超薄型シャボン玉用具。
【請求項６】
その薄型容器が定規型になっていて、側面に目盛りがある、請求項  １に記載の超薄型シャボン玉用具。
【請求項７】
その薄型容器の一側面に、折り畳みが利く紙面が取り付けられている、請求項  １に記載の超薄型シャボン玉用具。
【請求項８】
その薄型容器の一側面に装飾品が取り付けてある、請求項  １に記載の超薄型シャボン玉用具。
【請求項９】
その薄型容器の内部の収納空間に、複数の連続しない仕切りがあって、その収納空間を複数の貫通した空間に仕切り、さらに、仕切られた空間に浮遊物を置いた、請求項  １に記載の超薄型シャボン玉用具。
【請求項１０】
薄型容器及び扁平な液をつけるスティックからなり、
その薄型容器は真空成型によって製造され、厚さが２〜６ｍｍで、内部に収納空間がある密封容器を形成していて、その収納空間にはシャボン液が入れられ、周囲の縁には貫通した挿入口があって、扁平な液をつけるスティックのリング部分が挿入されて液をつけるようになっていて、さらに、その扁平な液をつけるスティックの先端には持ち手があって、薄型容器と共に超薄型シャボン玉用具を形成するという特長を持つ、超薄型シャボン玉用具。
【請求項１１】
その薄型容器の一側面に背板を取り付けた、請求項  １０に記載の超薄型シャボン玉用具。
【請求項１２】
その薄型容器の一側面に背板を取り付け、さらに、背板にフレームを付けて、そのフレームに薄いシートを挿入するようになった、請求項１０に記載の超薄型シャボン玉用具。
【発明の詳細な説明】
【０００１】
【発明の属する技術分野】
本発明は超薄型シャボン玉用具に関する。本発明は、厚さ２〜６ｍｍの超薄型のシャボン玉用具である。その他のパーツを組み合わせることにより、製品の付加価値が増すという特長を持つ。
【０００２】
【従来の技術及び課題】
一般に見られるシャボン玉用具は、シャボン液を入れた容器に液をつけるスティックを組み合わせて構成されている。
しかしながら、従来のシャボン玉の容器はどれも円形をしていて、その容器の口径は約１０ｍｍで、液をつけるスティックが挿入しやすいようになっている。口径の大きい円形容器は、中に入るシャボン玉の液を量が多いものの、実際に使用する場合、その体積の制限を受けて、その他のパーツを組み合わせることができない。したがって、単純に、ただシャボン玉遊びをするだけの機能しか持たず、その上、他のパーツを組み合わせることもできないので、消費者の購買欲をそそることはむずかしい。
【０００３】
【課題を解決するための手段】
本発明の超薄型シャボン玉用具は、厚さが２〜６ｍｍの薄型容器に、扁平な液をつけるスティックを組み合わせて構成される。この薄型容器の内部には、シャボン液を入れるための空間がある。さらに、この空間の周囲には、挿入口があり、扁平な液をつけるスティックが挿入されるようになっている。その体積はかなり薄くて小さいため、他のパーツを組み合わせることが可能で、応用も利くため、付加価値が高いという特長を持つ。
【０００４】
【発明の実施の形態】
図１から図７までを参照いただきたい。本発明の超薄型シャボン玉用具は、薄型容器１及び扁平な液をつけるスティック２からなる。その薄型容器１は、二組のはめ込み式のふた板１１、１２と、その間に連なる接続板部分１３が、２〜６ｍｍの厚みを構成し、さらに、その内部の形成された収納空間１４は密封された容器になっている。その収納空間１４はシャボン液を入れるようになっている。そして、その周囲の縁には貫通した挿入口１５があり、扁平な液をつけるスティック２のリング部分２１が挿入されて液をつけるようになっている。
上述の薄型容器１は、二組のふた板１１、１２及び接続板部分１１が一体射出成型によって製造、あるいは、はめ込み式で製造することが可能である。図３に示すように、その薄型容器１は、二枚の一体射出成型のふた板１１、１２が相互に突き合わさって、組み合わされている。その二枚のふた板１１、１２が合わさって一体となると、その間に接続板部分１３が形成され、その内部に収納空間１４が形成されて、液を入れる密封容器となる。図４を参照いただきたい。その薄型容器１は、中間の収納空間１４の接続板部分１３の両側には、ふた板１１、１２があって、封をする形で密封容器が形成される。図５を参照いただきたい。その薄型容器１は、中間の収納空間１４の接続板部分１３の両側には、ふた板１１、１２があって、はめ込んで封をする形で密封容器が形成される。
上述の扁平な液をつけるスティック２のリング部分２１は、固定した形態のリング部分（図１及び図２に示すように）である。その薄型容器１の挿入口１５は、リング部分２１の形態に応じてその口径を決め、扁平な液をつけるスティック２がスムーズに収納空間１４に挿入されて、液をつけやすいようになっている。また、その扁平な液をつけるスティック２は、その先端に持ち手２２があり、薄型容器１の形に呼応して、超薄型シャボン玉用具を形成する。さらに、この持ち手２２の下方には、漏れを防ぐ栓２３があり、この栓２３は複数の突起片（図１及び図２に示すように）、あるいは、一つの柔らかい栓（図６及び図７に示すように）で、薄型容器１の挿入口１５にはまり込んで、収納空間１４の中のシャボン液が外に漏れないようにしている。
図８を参照いただきたい。本発明の薄型容器１の側面に、フレーム３を取り付け、そのフレーム３には、固定溝３１があって、名刺、写真等の薄いシート４を挿入して使用することが可能である。
また、本発明の薄型容器１の外観は、さらに、実際のニーズに応じて、多様に変化させることが可能である。図９を参照いただきたい。その薄型容器１は、定規の形をしている。側面には目盛りがついている。あるいは、図１０から図１３に示すように、その薄型容器１の側面に、背板５を取り付けてある。この背板５はカード、板材等の板状のものである。さらに、図１２及び図１３を参照いただきたい。薄型容器１の側面に複数のくぼんだ面１６があって、パレットや砂絵の枠として応用できる。あるいは、図１４のように、その薄型容器１の側面に折り畳みの利く紙面１７を接続することも可能である。また、あるいは、図１５のように、その薄型容器１の側面に、装飾品１８を取り付けている。したがって、本発明の超薄型シャボン玉用具は、その体積が非常に薄くて小さいため、付属のパーツの組み合わせが利き、応用範囲が広い。このため、製品としての付加価値が増すという特長を持つ。
また、図１６を参照いただきたい。薄型容器１の内部の収納空間１４に、連続しない仕切り１９を設け、収納空間１４を複数の連なった空間を形成し、この仕切られた収納空間１４内に浮遊物６を置き、迷路遊びを組み合わせて、製品の付加価値を上げている。
上述の説明からもわかるように、本発明の超薄型シャボン玉用具は、具体的な実施例において、単純なシャボン玉用具としての用途以外に、薄型容器１の外形やデザインに変化を持たせて、付属パーツを組み合わせることにより、付加価値の高い斬新な製品とすることが可能である。
また、本発明の超薄型シャボン玉用具は、厚さが２〜６ｍｍの薄型容器１に、扁平な液をつけるスティック２を組み合わせて構成される。その、薄型容器１は、二組のふた板１１、１２及び接続板部分１１が一体射出成型、あるいは、はめ込み式で製造する以外に、その薄型容器１は、真空成型で製造して、厚さ２〜６ｍｍで、内部に収納空間１４を持つ、密封容器を形成することも可能である。その収納空間１４にはシャボン液が入れられ、周囲の縁には貫通した挿入口１５があって、扁平な液をつけるスティック２のリング部分２１が挿入されて液をつけるようになっている。さらに、その扁平な液をつけるスティック２の先端には、持ち手２２があって、薄型容器１と共に、図１７から図１９に示すように、超薄型シャボン玉用具を形成する。
また、上述の薄型容器１の一側面に、背板５を取り付け、その背板５にさらにフレーム３を取り付ける。そのフレーム３は、写真、名刺等の薄いシートを入れるようになっている。
【０００５】
【発明の効果】
本発明の超薄型シャボン玉用具は、単純なシャボン玉用具としての用途以外に、薄型容器の外形やデザインに変化を持たせて、付属パーツを組み合わせることにより、付加価値の高い斬新な製品とすることが可能である。
【図面の簡単な説明】
【図１】本発明の超薄型シャボン玉用具の外観図である。
【図２】本発明の超薄型シャボン玉用具のパーツの分解図である。
【図３】本発明の超薄型シャボン玉用具の、一体射出成型による薄型容器の外観図である。
【図４】本発明の超薄型シャボン玉用具の、シールド組み合わせ形態の薄型容器の断面図である。
【図５】本発明の超薄型シャボン玉用具の、もう一つのシールド組み合わせ形態の薄型容器の断面図である。
【図６】本発明のもう一つの実施例の、超薄型シャボン玉用具のパーツの分解図である。
【図７】本発明のまた別の実施例の、超薄型シャボン玉用具のパーツの分解図である。
【図８】本発明の超薄型シャボン玉用具に薄いシートを取り付けた形態の実施例図である。
【図９】本発明の、定規の形態の超薄型シャボン玉用具の実施例図である。
【図１０】本発明の超薄型シャボン玉用具に背板を取り付けた形態の実施例図一である。
【図１１】本発明の超薄型シャボン玉用具に背板を取り付けた形態の実施例図二である。
【図１２】本発明の超薄型シャボン玉用具に背板を取り付けた形態の実施例図三である。
【図１３】本発明の超薄型シャボン玉用具に背板を取り付けた形態の実施例図四である。
【図１４】本発明の超薄型シャボン玉用具に折り畳める紙面を取り付けた形態の実施例図である。
【図１５】本発明の超薄型シャボン玉用具に装飾品を取り付けた形態の実施例図である。
【図１６】本発明の、複数の連続しない仕切りで隔てた空間を持つ薄型容器によって、迷路遊びを組み合わせた形態の実施例図である。
【図１７】本発明の、もう一つの真空成型の薄型容器によって形成された超薄型シャボン玉用具の実施例図一である。
【図１８】本発明の、もう一つの真空成型の薄型容器によって形成された超薄型シャボン玉用具の実施例図二である。
【図１９】本発明の、もう一つの真空成型の薄型容器によって形成された超薄型シャボン玉用具に薄いシートを挿入した実施例図である。
【符号の説明】
１      薄型容器                    ２      扁平な液をつけるスティック
１１、１２    ふた板                ２１    リング部分
１３    接続板部分                  ２２    持ち手
１４    収納空間                    ２３    栓
１５    挿入口                      ３      フレーム
１６    くぼんだ面                  ３１      固定溝
１７    折り畳みの利く紙面          ４      薄いシート
１８    装飾品                      ５      背板
１９    仕切り                      ６      浮遊物
【図１】
2005073705.tif 000003
【図２】
2005073705.tif 000004
【図３】
2005073705.tif 000005
【図４】
2005073705.tif 000006
【図５】
2005073705.tif 000007
【図６】
2005073705.tif 000008
【図７】
2005073705.tif 000009
【図８】
2005073705.tif 000010
【図９】
2005073705.tif 000011
【図１０】
2005073705.tif 000012
【図１１】
2005073705.tif 000013
【図１２】
2005073705.tif 000014
【図１３】
2005073705.tif 000015
【図１４】
2005073705.tif 000016
【図１５】
2005073705.tif 000017
【図１６】
2005073705.tif 000018
【図１７】
2005073705.tif 000019
【図１８】
2005073705.tif 000020
【図１９】
2005073705.tif 000021